(57)【特許請求の範囲】
【請求項１】
送風機と、
前記送風機の側方に配置される電装品箱とを備え、前記電装品箱は、
端子台を収容する端子台室を区画し、前記端子台室の一部を開放する開口を有する樹脂製の箱体と、
前記箱体には、前記開口に沿って内側に折り返される樹脂材で包まれる縁を有し、折り返された前記樹脂材よりも前記端子台室内に入り込んだ位置に折り曲げ形成された凸面を有する板金体と、
前記開口に嵌め込まれて、折り返された前記樹脂材よりも前記端子台室内に入り込んだ位置で前記凸面に当接する板金製の蓋体とを備え、
前記凸面が前記電装品箱の前記送風機側の面に設けられていることを特徴とする空気調和機。
【発明の詳細な説明】
【技術分野】
【０００１】
本発明は空気調和機の電装品箱、および、それを用いた空気調和機に関する。
【背景技術】
【０００２】
空気調和機は電装品として端子台を備える。端子台には室外機に繋がる制御線や電力線が接続される。空気調和機は樹脂製の電装品箱に端子台を収容する。電装品箱は端子台を開放する開口を有する。
【０００３】
箱体は板金で内張りされる。板金の縁は、開口に沿って内側に折り返される樹脂材で包まれる。開口は板金製の蓋体で塞がれる。樹脂製の箱体は、板金の縁で折り返される樹脂材で板金製の蓋体を受け止める。
【先行技術文献】
【特許文献】
【０００４】
【特許文献１】特開２０１０−２６１６０５号公報
【発明の概要】
【発明が解決しようとする課題】
【０００５】
端子台は、制御線や電力線の接続部でのトラッキングにより発火するおそれがある。箱体の内側が高熱に曝されても、樹脂製の箱体は板金で保護される。しかしながら、箱体の開口では板金と蓋体との間で折り返された樹脂材は高熱に曝される。樹脂材が変形すると、板金と蓋体との間に隙間が生じてしまう。隙間から火が漏れ出ることが懸念される。
【０００６】
本発明は、内張りされる板金と蓋体との間で隙間が形成されることを防止できる空気調和機の電装品箱を提供することを目的とする。
【課題を解決するための手段】
【０００７】
本発明の一側面によれば、端子台を収容する端子台室を区画し、前記端子台室の一部を開放する開口を有する樹脂製の箱体と、前記箱体には、前記開口に沿って内側に折り返される樹脂材で包まれる縁を有し、折り返された前記樹脂材よりも前記端子台室内に入り込んだ位置に折り曲げ形成された凸面を有する板金体と、前記開口に嵌め込まれて、折り返された前記樹脂材よりも前記端子台室内に入り込んだ位置で前記凸面に接触する板金製の蓋体とを備える空気調和機の電装品箱は提供される。
【０００８】
蓋体が箱体の開口に嵌め込まれると、開口は蓋体で塞がれる。樹脂製の箱体は、板金体の縁で折り返される樹脂材で板金製の蓋体を受け止める。このとき、板金製の蓋体は箱体に内張りされる板金体に接触することから、端子台室内の高熱は板金で遮られる。樹脂材は板金で保護される。内張りされる板金と蓋体との間で隙間の形成は回避される。
【発明の効果】
【０００９】
以上のように開示の装置によれば、内張りされる板金と蓋体との間で隙間の形成は防止される。
【図面の簡単な説明】
【００１０】
【図１】本発明の一実施形態に係る空気調和機の構成を概略的に示す概念図である。
【図２】一実施形態に係る室内機の外観を概略的に示す斜視図である。
【図３】室内機の本体および電装品箱の構成を概略的に示す分解斜視図である。
【図４】電装品箱の拡大分解斜視図である。
【図５】端子台室および蓋体の拡大分解斜視図である。
【図６】図３のＡ−Ａ線に沿った電装品箱の拡大断面図である。
【発明を実施するための形態】
【００１１】
以下、添付図面を参照しつつ本発明の実施形態を説明する。
【００１２】
（１）空気調和機の構成
図１は本発明の一実施形態に係る空気調和機１１の構成を概略的に示す。空気調和機１１は室内機１２および室外機１３を備える。室内機１２は例えば建物内の室内空間の壁面の上部に設置される。その他、室内機１２は室内空間に相当する空間に設置されればよい。室内機１２には室内熱交換器１４が組み込まれる。室外機１３には圧縮機１５、室外熱交換器１６、膨張弁１７および四方弁１８が組み込まれる。室内熱交換器１４、圧縮機１５、室外熱交換器１６、膨張弁１７および四方弁１８は冷凍回路１９を形成する。
【００１３】
冷凍回路１９は第１循環経路２１を備える。第１循環経路２１は四方弁１８の第１口１８ａおよび第２口１８ｂを相互に結ぶ。第１循環経路２１には圧縮機１５が組み込まれる。圧縮機１５の吸入管１５ａは四方弁１８の第１口１８ａに冷媒配管を介して接続される。第１口１８ａからガス冷媒は圧縮機１５の吸入管１５ａに供給される。圧縮機１５は低圧のガス冷媒を所定の圧力まで圧縮する。圧縮機１５の吐出管１５ｂは四方弁１８の第２口１８ｂに冷媒配管を介して接続される。圧縮機１５の吐出管１５ｂから高圧のガス冷媒は四方弁１８の第２口１８ｂに供給される。冷媒配管は例えば銅管であればよい。
【００１４】
冷凍回路１９は第２循環経路２２をさらに備える。第２循環経路２２は四方弁１８の第３口１８ｃおよび第４口１８ｄを相互に結ぶ。第２循環経路２２には、第３口１８ｃ側から順番に室外熱交換器１６、膨張弁１７および室内熱交換器１４が組み込まれる。室外熱交換器１６は、通過する冷媒と周囲の空気との間で熱エネルギーを交換する。室内熱交換器１４は、通過する冷媒と周囲の空気との間で熱エネルギーを交換する。第２循環経路２２は例えば銅管などの冷媒配管で形成されればよい。
【００１５】
室外機１３には送風ファン２３が組み込まれる。送風ファン２３は室外熱交換器１６に通風する。送風ファン２３は例えば羽根車の回転に応じて気流を生成する。気流は室外熱交換器１６を通り抜ける。通り抜ける気流の流量は羽根車の回転数に応じて調整される。
【００１６】
室内機１２には送風ファン２４が組み込まれる。送風ファン２４は室内熱交換器１４に通風する。送風ファン２４は羽根車の回転に応じて気流を生成する。送風ファン２４の働きで室内機１２には室内空気が吸い込まれる。室内空気は室内熱交換器１４を通り抜け冷媒と熱交換する。熱交換された冷気または暖気の気流は室内機１２から吹き出される。通り抜ける気流の流量は羽根車の回転数に応じて調整される。
【００１７】
冷凍回路１９で冷房運転が実施される場合には、四方弁１８は第２口１８ｂおよび第３口１８ｃを相互に接続し第１口１８ａおよび第４口１８ｄを相互に接続する。したがって、圧縮機１５の吐出管１５ｂから高温高圧の冷媒が室外熱交換器１６に供給される。冷媒は室外熱交換器１６、膨張弁１７および室内熱交換器１４を順番に流通する。室外熱交換器１６では冷媒から外気に放熱する。膨張弁１７で冷媒は低圧まで減圧される。減圧された冷媒は室内熱交換器１４で周囲の空気から吸熱する。冷気が生成される。冷気は送風ファン２４の働きで室内空間に吹き出される。
【００１８】
冷凍回路１９で暖房運転が実施される場合には、四方弁１８は第２口１８ｂおよび第４口１８ｄを相互に接続し第１口１８ａおよび第３口１８ｃを相互に接続する。圧縮機１５から高温高圧の冷媒が室内熱交換器１４に供給される。冷媒は室内熱交換器１４、膨張弁１７および室外熱交換器１６を順番に流通する。室内熱交換器１４では冷媒から周囲の空気に放熱する。暖気が生成される。暖気は送風ファン２４の働きで室内空間に吹き出される。膨張弁１７で冷媒は低圧まで減圧される。減圧された冷媒は室外熱交換器１６で周囲の空気から吸熱する。その後、冷媒は圧縮機１５に戻る。
【００１９】
（２）室内機の構成
図２は一実施形態に係る室内機１２の外観を概略的に示す。室内機１２は本体２５を備える。本体２５に室内熱交換器１４が支持される。本体２５の正面（前面）にはフロントグリル２６が開閉自在に覆い被さる。
【００２０】
本体２５の底板２７には吹出口２８が形成される。吹出口２８は室内に向けて開口される。本体２５は背面で例えば室内の壁面に固定されることができる。吹出口２８は、室内熱交換器１４で生成される冷気または暖気の気流を吹き出す。
【００２１】
吹出口２８には前後１対の上下風向板２９ａ、２９ｂが配置される。上下風向板２９ａ、２９ｂはそれぞれ水平軸線回りに回転することができる。回転に応じて上下風向板２９ａ、２９ｂは吹出口２８を開閉することができる。上下風向板２９ａ、２９ｂの角度に応じて、吹き出される気流の方向は変えられる。
【００２２】
本体２５の天板３２には吸込口３３が形成される。室内熱交換器１４に流入する空気は吸込口３３から取り込まれる。本体２５には天板３２の下方で室内熱交換器１４の前方に複数のエアフィルタアセンブリ（図示されず）が着脱自在に装着される。
【００２３】
図３に示されるように、本体２５には電装品箱３４が装着される。電装品箱３４は制御基板および電源ユニットを収容する箱本体３５を備える。箱本体３５の前面は樹脂製の配線カバー３６で塞がれる。配線カバー３６はフロントグリル２６で覆われる。
【００２４】
送風ファン２４は、熱交換器１４と吹出口２８の間に組み込まれる。電装品箱３４は、熱交換器１４の右側に配置される。すなわち、後述する凸面４７は電装品箱３４の熱交換器１４側に配置される。電装品箱３４の熱交換器１４側の空気の流通は阻害される。熱交換器１４を通過する気流によって電装品箱３４内の高熱の空気が誘引されることがなくなる。
【００２５】
図４ないし図６に示されるように、電装品箱３４は、端子台３７を収容する端子台室３８を区画する樹脂製の箱体３９を備える。樹脂製の箱体３９は例えば箱本体３５から連続すればよい。箱体３９は、端子台室３８の一部を開放する開口４１を有する。開口４１には板金製の蓋体４２が嵌め込まれる。蓋体４２は配線カバー３６の内蓋として機能する。
【００２６】
端子台３７は開口４１側に３つの端子４３を備える。個々の端子４３には室外機１３に繋がる制御線および電力線が差し込まれる。制御線および電力線を含むケーブルは端子台室３８の下端から外部に引き出される。引き出される際にケーブルはケーブル留め４４で押さえられることができる。端子台３７には背後から制御基板および電源ユニットの配線が連結される。こうして端子台３７は制御基板および電源ユニットに室外機１３を接続する。
【００２７】
樹脂製の箱体３９には板金体４５が内張りされる。板金体４５は端子台３７の正面側以外を囲う。開口４１に沿って、板金体４５の縁は樹脂材４６に係止される。樹脂材４６よりも端子台室３８内に入り込んだ位置に板金体４５には凸面４７が折り曲げ形成される。ここでは、凸面４７は本体２５内の熱交換器１４に隣接する側壁に配置される。凸面４７は箱体３９の内面から端子台３７側に突出する。凸面４７は、端子台室３８の上面から下面にわたって設けられている。板金製の蓋体４２は、一方の側縁４２ａで、折り返された樹脂材４６よりも端子台室３８内に入り込んだ位置で凸面４７に接触する。
【００２８】
蓋体４２が箱体３９の開口４１に嵌め込まれると、開口４１は蓋体４２で塞がれる。樹脂製の箱体３９は、板金体４５の縁で折り返される樹脂材４６で板金製の蓋体４２を受け止める。このとき、板金製の蓋体４２は箱体３９に内張りされる板金体４５に接触することから、端子台室３８内の高熱は板金で遮られる。樹脂材４６は板金で保護される。内張りされる板金体４５と蓋体４２との間で隙間の形成は回避される。
【符号の説明】
【００２９】
１１  空気調和機、３４…電装品箱、３７…端子台、３８…端子台室、３９…箱体、４１…開口、４２…蓋体、４５…板金体、４６…樹脂材、４７…凸面。
【図１】
0006708952.tif 000002
【図２】
0006708952.tif 000003
【図３】
0006708952.tif 000004
【図４】
0006708952.tif 000005
【図５】
0006708952.tif 000006
【図６】
0006708952.tif 000007